(57)【要約】本発明は折り畳まれるように、親骨（１１０）と、第１受骨（１２０）及び第２受骨（１３０）を組み合わせた折り畳み式構成の傘骨アセンブリー（１００）において、内側部材（１１１）と中間部材（１１２）と、複数の親骨（１１０）と、第１受骨固定部材（１５０）に回動可能に結合される支持部材（１２２）と、複数の第１受骨（１２０）と第２受骨（１３０）を含み、親骨固定部材（１４０）に親骨（１１０）の内側部材（１１１）が回動可能に結合される結合部の直径（Ｄ１）は第２受骨固定部材（１６０）に第２受骨（１３０）が回動可能に結合される結合部の直径（Ｄ２）より大きい寸法に構成して、第２受骨固定部材（１６０）が固定された第１受骨固定部材（１５０）の方に下降すると傘骨アセンブリー（１００）が開かれ、固定された親骨固定部材（１４０）の方に上昇すると傘骨アセンブリー（１００）が折り畳まれるようにし、この傘骨アセンブリー（１００）を利用して多様な構成の折り畳み式傘（１）を製造した。【選択図】図１
2013514126.tif 000002
【特許請求の範囲】
【請求項１】
折り畳まれるように、親骨（１１０）と、第１受骨（１２０）及び第２受骨（１３０）を組み合わせた折り畳み式構成の傘骨アセンブリー（１００）において、
親骨固定部材（１４０）に円周上に回動可能に一端がピンで結合される内側部材（１１１）と、内側部材（１１１）の他端より上側に一端がピンで結合される中間部材（１１２）と、中間部材（１１２）の他端にピンで結合される外側部材（１１３）とを折り畳まれるように組み立てて構成した複数の親骨（１１０）と、
第１受骨固定部材（１５０）に円周上に回動可能に一端がピンで結合される支持部材（１２２）と、支持部材（１２２）の他端に一端がピンで結合され、前記親骨（１１０）の中間部材（１１２）と平行するように内側部材（１１１）の端部が支持部材（１２２）と結合される方の端部外側に回動可能にピンで結合され、他端が中間部材（１１２）と連結された外側部材（１１３）の上端下側にそれぞれピンで回動可能に連結された連結部材（１２１）を折り畳まれるように組み立てて構成した複数の第１受骨（１２０）と、
前記親骨固定部材（１４０）と第１受骨固定部材（１５０）との間に位置する第２受骨固定部材（１６０）に円周上に回動可能に一端がピンで結合され、他端が前記内側部材（１１１）と第１受骨（１２０）の連結部材（１２１）との結合部位に一緒に回動可能にピンで結合される第２受骨（１３０）とを含み、
前記親骨固定部材（１４０）に親骨（１１０）の内側部材（１１１）が回動可能に結合される結合部の直径（Ｄ１）は第２受骨固定部材（１６０）に第２受骨（１３０）が回動可能に結合される結合部の直径（Ｄ２）より大きい寸法に構成して、第２受骨固定部材（１６０）が固定された第１受骨固定部材（１５０）の方に下降すると傘骨アセンブリー（１００）が開かれ、固定された親骨固定部材（１４０）の方に上昇すると傘骨アセンブリー（１００）が折り畳まれるようにすることを特徴とする折り畳み式構成の傘骨アセンブリー。
【請求項２】
折り畳み式傘（１）において、
下端部に縮小係止突起（８）が形成された作動管（７）の内部には、手元（２）に下端部が結合固定され、上端部に拡大係止突起（６）が形成され、上端一側に傾斜面（３ａ）が形成された下部管（３）をスライド可能に挿入して、前記下部管（３）の拡大係止突起（６）が作動管（７）の縮小係止突起（８）に係止されるようにし、外部には作動管（７）より長さの長い上部管（４）をスライド可能に組立てて中棒（５）を構成し、
前記拡大係止突起（６）の上側内部には板バネ（９）によって支持される係止金具（１０）を内装設置し、下部管（３）の上端部にピンで組立てたＬ字状の回転部材（１１）の一端を係止金具（１０）に形成された孔（１０ａ）に差し込んで、Ｌ字状の回転部材（１１）の他端には手元（２）に回動式に設置されるＬ字状のボタン（１２）とワイヤ（１３）で連結して、前記係止金具（１０）が、傘（１）を折り畳んだ状態で、作動管（７）の上端部に形成された係止孔（７ａ）を通じて上部管（４）上端部の固定孔（４ａ）に挿入され、傘（１）を開いた状態では、作動管（７）の前記縮小係止突起（８）の真上に形成された係止孔（７ｂ）に挿入されるようにし、前記上部管（４）の下端には板バネ（１５）によって支持される固定金具（１６）が内装設置された作動手元（１４）を固定して、前記固定金具（１６）が、中棒（５）を開いた状態で作動管（７）の下側に形成された固定孔（７ｃ）に挿入されるようにして、前記中棒（５）、上部管（４）の上端部には請求項１の傘骨アセンブリー（１００）を設置し、この場合、前記傘骨アセンブリー（１００）は上部管（４）の上端に親骨（１１０）の内側部材（１１１）が回動可能に結合される親骨固定部材（１４０）が固定設置され、その下側の上部管（４）の外部には第１受骨（１２０）の支持部材（１２２）が回動可能に結合される第１受骨固定部材（１５０）を固定設置し、前記親骨固定部材（１４０）と第１受骨固定部材（１５０）との間に上部管（４）に沿ってスライド移動可能に第２受骨（１３０）が回動可能に結合される第２受骨固定部材（１６０）を設置して、第２受骨固定部材（１６０）が第１受骨固定部材（１５０）の方に下降すると傘骨アセンブリー（１００）が開かれ、親骨固定部材（１４０）の方に上昇すると傘骨アセンブリー（１００）が畳まれるようにして、前記上部管（４）には第２受骨固定部材（１６０）の昇降幅だけ長くて且つ対向する作動長孔（４ｂ）を形成し、第２受骨固定部材（１６０）を作動長孔（４ｂ）を通じてピン（１７）で作動管（７）の上端に組立てて上部管（４）に沿ってスライド移動できるようにしたことを特徴とする折り畳み式傘。
【請求項３】
折り畳み式傘（１）において、
上側中間部と下端部にそれぞれ縮小係止突起（１８）（１９）が形成された作動管（７）の内部には、手元（２）に下端部が結合固定され、上端部に拡大係止突起（６）が形成され、上端一側に傾斜面（３ａ）が形成された下部管（３）をスライド可能に挿入して、前記下部管（３）の上端と拡大係止突起（６）がそれぞれ作動管（７）の縮小係止突起（１８）（１９）に係止されるようにし、外部には作動管（７）より長さの短い上部管（４）をスライド可能に組立てて中棒（５）を構成し、
前記拡大係止突起（６）の上側内部には板バネ（９）によって支持される係止金具（１０）を内装設置し、下部管（３）の上端部にピンで組立てたＬ字状の回転部材（１１）の一端を係止金具（１０）に形成された孔（１０ａ）に差し込んで、Ｌ字状の回転部材（１１）の他端には手元（２）に回動式に設置され、スプリング（２０）の弾性力によって復元されるボタン（２１）によって回動するＬ字状のボタン（１２）とワイヤ（１３）で連結して、係止金具（１０）が、傘（１）を折り畳んだ状態で、作動管（７）の上側縮小係止突起（１８）の真下に形成された係止孔（７ｄ）を通じて上部管（４）の中間に形成された固定孔（４ｃ）に挿入され、傘（１）を開いた状態では、作動管（７）の下側縮小係止突起（１９）の真上に形成された係止孔（７ｅ）に挿入されるようにし、前記上部管（４）の下端には板バネ（１５）によって支持される固定金具（１６）が内装設置された作動手元（１４）を固定して、前記固定金具（１６）が作動管（７）に形成された固定孔（７ｆ）に挿入されて、傘（１）が開かれた状態を保持し、前記固定孔（７ｆ）は作動管（７）の上側縮小係止突起（１８）の真下に形成された係止孔（７ｄ）と対向する位置に形成され、係止孔（７ｄ）よりわずかに大きくて、一部が係止孔（７ｄ）に重なるように少し下方に形成され、前記中棒（５）の上部管（４）の上端部には請求項１の構成の傘骨アセンブリー（１００）を設置し、この場合、前記傘骨アセンブリー（１００）は上部管（４）の上端に親骨（１１０）の内側部材（１１１）が回動可能に結合される親骨固定部材（１４０）が固定設置され、その下側の上部管（４）の外部には第１受骨（１２０）の支持部材（１２２）が回動可能に結合される第１受骨固定部材（１５０）を固定設置し、前記親骨固定部材（１４０）と第１受骨固定部材（１５０）との間に上部管（４）に沿ってスライド移動可能に第２受骨（１３０）が回動可能に結合される第２受骨固定部材（１６０）を設置して、第２受骨固定部材（１６０）が第１受骨固定部材（１５０）の方に下降すると傘骨アセンブリー（１００）が開かれ、親骨固定部材（１４０）の方に上昇すると傘骨アセンブリー（１００）が折り畳まれるようにし、前記上部管（４）には第２受骨固定部材（１６０）の昇降幅だけ長くて且つ対向する作動長孔（４ｂ）を形成し、第２受骨固定部材（１６０）は作動長孔（４ｂ）を通じてピン（１７）で作動管（７）の上端に形成されたスプリング固定具（２２）と一緒に組立てて上部管（４）に沿ってスライド移動できるようにし、前記上部管（４）の内側には傘（１）を折り畳んだ状態である時、作動管（７）の上側縮小係止突起（１８）に隣接して位置するようにスプリング受け台（２３）を形成し、前記作動管（７）上端のスプリング固定具（２２）とスプリング受け台（２３）との間には圧縮スプリング（２４）を設置し、前記作動管（７）上端のスプリング固定具（２２）と下部管（３）の上端には引張スプリング（２５）の両端を固定することを特徴とする折り畳み式傘。
【請求項４】
折り畳み式傘（１）において、
上側中間部と下端部にそれぞれ縮小係止突起（１８）（１９）が形成された作動管（７）内部には、手元（２）に下端部が結合固定され、上端部に拡大係止突起（６）が形成された下部管（３）をスライド可能に挿入して、前記下部管（３）の上端と拡大係止突起（６）がそれぞれ作動管（７）の縮小係止突起（１８）（１９）に係止されるようにし、外部には作動管（７）より長さの短い上部管（４）をスライド可能に組立てて中棒（５）を構成し、
前記拡大係止突起（６）の上側内部には板バネ（９）によって支持される係止金具（１０）を内装設置し、下部管（３）の上端部にピンで組立てたＬ字状の回転部材（１１）の一端を係止金具（１０）に形成された孔（１０ａ）に差し込んで、Ｌ字状の回転部材（１１）の他端には手元（２）に回動式に設置され、スプリング（２０）の弾性力によって復元されるボタン（２１）によって回動するＬ字状のボタン（１２）とワイヤ（１３）で連結して、係止金具（１０）が、傘（１）を折り畳んだ状態で、作動管（７）の上側縮小係止突起（１８）の真下に形成された係止孔（７ｄ）を通じて上部管（４）の中間に形成された固定孔（４ｃ）に挿入され、傘（１）を開いた状態では、作動管（７）の下側縮小係止突起（１９）の真上に形成された係止孔（７ｅ）に挿入されるようにし、前記上部管（４）の下端には作動手元（１４）が固定され、前記中棒（５）の上部管（４）の上端部には請求項１の構成の傘骨アセンブリー（１１）を設置し、この場合、前記傘骨アセンブリー（１００）は上部管（４）の上端に親骨（１１０）の内側部材（１１１）が回動可能に結合される親骨固定部材（１４０）が固定設置され、その下側の上部管（４）の外部には第１受骨（１２０）の支持部材（１２２）が回動可能に結合される第１受骨固定部材（１５０）を固定設置し、前記親骨固定部材（１４０）と第１受骨固定部材（１５０）との間に上部管（４）に沿ってスライド移動可能に第２受骨（１３０）が回動可能に結合される第２受骨固定部材（１６０）を設置して、第２受骨固定部材（１６０）が第１受骨固定部材（１５０）の方に下降すると傘骨アセンブリー（１００）が開かれ、親骨固定部材（１４０）の方に上昇すると傘骨アセンブリー（１００）が折り畳まれるようにし、前記上部管（４）には第２受骨固定部材（１６０）の昇降幅だけ長くて且つ対向する作動長孔（４ｂ）を形成し、第２受骨固定部材（１６０）は作動長孔（４ｂ）を通じてピン（１７）で作動管（７）の上端に組立てて上部管（４）に沿ってスライド移動きるようにし、前記上部管（４）に固定されている第１受骨固定部材（１５０）の内側にはスプリング受け台（２３）を形成し、前記作動管（７）の上側縮小係止突起（１８）とスプリング受け台（２３）との間には圧縮スプリング（２６）を設置することを特徴とする折り畳み式傘。
【請求項５】
折り畳み式傘（１）において、
中間部に上下縮小係止突起（１８）（１８´）、下端部に縮小係止突起（１９）が形成された作動管（７）の内部には、手元（２）に下端部が結合固定され、上端部に拡大係止突起（６）が形成された下部管（３）をスライド可能に挿入して、前記下部管（３）の拡大係止突起（６）が作動管（７）の下側縮小係止突起（１９）に係止されるようにし、外部には作動管（７）より長さが短く、下端部に縮小係止突起（４５）が形成された上部管（４）をスライド可能に組立てて前記作動管（７）の縮小係止突起（１８´）が上部管（４）の縮小係止突起（４５）に係止されるように構成し、前記作動管（７）の中間部に上下に形成された縮小係止突起（１８）（１８´）の間に、中央に上下に貫通する嵌合孔（２８ａ）が形成され、一側に切開部（２８ｂ）が形成されたガイド部材（２８）を内装設置し、切開部（２８ｂ）には作動管（７）に形成された回動孔（２９）及び上部管（４）の下方に作動管（７）の昇降幅に符合するように上下に形成された２つの回動孔（３０）（３１）を通じてスプリング（３２ｂ）によって回動し、嵌合孔（２８ａ）の方に上下対向して傾斜面が具備された係止突起（３２ａ）が形成された回動部材（３２）の上端をガイド部材（２８）にピン（３３）で結合し、上端部に拡大係止突起（２７ｃ）、中下端部に縮小係止突起（２７ｄ）が形成されて、前記拡大係止突起（２７ｃ）の上側部分は上部管（４）の内部で、縮小係止突起（２７ｄ）の上側部分は作動管（７）の内部でスライド移動する補助作動管（２７）を組立てて、前記補助作動管（２７）の縮小係止突起（２７ｄ）の下側に前記嵌合孔（２８ａ）に差し込まれて回動部材（３２）の上側係止突起（３２ａ）に係止される係止溝（２７ｂ）が下端部に形成された結合棒（２７ａ）を形成して作動管（７）と補助作動管（２７）を連結し、前記拡大係止突起（６）上側には前記回動部材（３２）の下側係止突起（３２ａ）に係止されることができるように一字状の回転部材（３４）をピン（３５）で結合し、前記一字状の回転部材（３４）の下側には係止突部（３７）が一体に形成され、回動部材（３２）と干渉されないながら、一字状の回転部材（３４）の一側を支持する支持突部（３６ａ）を折曲形成した板バネ（３６）を内装設置し、この場合、前記係止突部（３７）は、傘（１）を開いた状態では、作動管（７）の下側縮小係止突起（１９）の真上に形成された係止孔（７ｇ）に挿入されるようにし、前記板バネ（３６）の上端には中心が板バネ（３６）にピンで組み立てられ、係止突部（３７）側は低いときに、下部管（３）の内面と接し、反対側は高いときに、端部を手元（２）に回動方式で設置し、スプリング（２０）の弾性力によって復元されるボタン（２１）によって回動するＬ字状のボタン（１２）とワイヤ（１３）で連結して、板バネ（３６）に形成された係止突部（３７）を下部管（３）の拡大係止突起（６）の真上に形成された孔（３ｂ）を通じて下部管（３）内側に強制的に挿入させることができるように回動レバー（３８）を設置し、前記中棒（５）の上部管（４）の上端部には請求項１の傘骨アセンブリー（１１）を設置し、この場合、前記傘骨アセンブリー（１００）は、上部管（４）の上端に親骨（１１０）の内側部材（１１１）が回動可能に結合される親骨固定部材（１４０）が固定設置され、その下側の上部管（４）の外部には第１受骨（１２０）の支持部材（１２２）が回動可能に結合される第１受骨固定部材（１５０）を固定設置し、前記親骨固定部材（１４０）と第１受骨固定部材（１５０）との間に上部管（４）に沿ってスライド移動可能に第２受骨（１３０）が回動可能に結合される第２受骨固定部材（１６０）を設置して、第２受骨固定部材（１６０）が第１受骨固定部材（１５０）の方に下降すると傘骨アセンブリー（１００）が開かれ、親骨固定部材（１４０）の方に上昇すると傘骨アセンブリー（１００）が折り畳まれるようにし、前記上部管（４）には第２受骨固定部材（１６０）の昇降幅だけ長くて且つ対向する作動長孔（４ｂ）を形成し、第２受骨固定部材（１６０）は作動長孔（４ｂ）を通じてピン（１７）で補助作動管（２７）の上端に組み立てられて、上部管（４）に沿ってスライド移動できるようにし、前記上部管（４）に固定されている第１受骨固定部材（１５０）の内側にはスプリング受け台（２３）を形成し、作動管（７）の上側縮小係止突起（１８）とスプリング受け台（２３）との間には第１圧縮スプリング（４３）を設置して、前記手元（２）に設置されている係止具（４０）に形成された突起（４１）が前記ボタン（２１）を押す時、上部管（４）の下端部に形成された係止突起（４２）から離脱すれば、第１圧縮スプリング（４３）が膨脹されながら傘骨アセンブリー（１００）が開かれ、前記作動管（７）の内部に位置するように結合棒（２７ａ）が差し込まれた状態でガイド部材（２８）と補助作動管（２７）の中下端部の縮小係止突起（２７ｄ）との間に第２圧縮スプリング（４４）を設置して、前記手元（２）のボタン（２１）を押して板バネ（３６）の係止突部（３７）が下部管（３）の内部に挿入される時、下部管（３）が作動管（７）の内部にスライド挿入しながら、前記下部管（３）の上端部の一字状の回転部材（３４）が回動部材（３２）の下側係止突起（３２ａ）の傾斜面を押して上側係止突起（３２ａ）が結合棒（２７ａ）の係止溝（２７ｂ）から離脱して作動管（７）と補助作動管（２７）の結合が解除される時、膨脹しながら傘骨アセンブリー（１００）を折り畳むことができるようにしたことを特徴とする折り畳み式傘。
【発明の詳細な説明】
【技術分野】
【０００１】
本発明は折り畳み式傘骨アセンブリー及び傘に関し、より具体的には、折り畳んだり開くのが簡単で、折り畳んだ状態での長さを最小化して容易に保管することができる折り畳み式傘骨アセンブリー及び傘を提供する。
【背景技術】
【０００２】
従来のボードは多くの部品が組み立てられて構成されているため、それによる生産性の低下及び部品の破損による頻繁な故障が問題点である。
【０００３】
雨が降る時、体を保護する目的で傘を利用する。一般的に広く使われている傘は、長さの長い長傘と、畳んでかばんなどに入れることができる保管性の良い折り畳み式傘などが使われている。
【０００４】
このような長傘及び折り畳み式傘は使用者の便利性を図ることができるように、中棒の下端に結合される手元に設けられたボタンを押すだけで傘骨アセンブリーが開かれることができるようにした構成に発展してきた。
【０００５】
上記長傘及び折り畳み式傘は、使用した後、畳む時、中棒の上端に位置した受骨固定部材を手で握って中棒の下に引かなければならない。
【０００６】
このような作動は傘の使用に不便を与え、特に作動過程で傘骨の外側に結合されている傘布に付いている雨によって使用者の体や衣類が濡れるなどの不便があった。
【０００７】
このような不便を解消するための手段として、本発明者は長い傘に対して数回の出願を通じて解消したが、折り畳み式傘では上記した諸問題点を解消することができなかった。
【０００８】
ここで、本発明者は傘骨アセンブリー及び折り畳み式傘を研究開発して特許出願（１０−２００９−００８４６４４）を提案した。
【０００９】
先出願は、親骨固定部材に円周上に回動可能に一端が結合される内側部材と、内側部材の他端より上側に一端がピンで結合される中間部材と、中間部材の他端にピンで結合される外側部材を折り畳まれるように組み立てて構成した複数の親骨と、第１受骨固定部材に円周上に回動可能に一端が結合され、親骨の中間部材と平行するように内側部材端部が中間部分に回動可能にピンで結合され、他端が中間部材と回動可能に結合された外側部材の上端下側にそれぞれピンで回動可能に連結された複数の第１受骨と、親骨固定部材と第１受骨固定部材との間に位置する第２受骨固定部材に円周上に回動可能に一端が結合され、他端が内側部材と第１受骨の中間部分が結合される部分に一緒にピンで回動可能に結合される複数の第２受骨とで構成され、親骨固定部材に親骨の内側部材が回動可能に結合される結合部の直径は第２受骨固定部材に第２受骨が回動可能に結合される結合部の直径より大きい寸法に構成して、第２受骨固定部材を下側に引いて傘骨アセンブリーを開き、上側に押して傘骨アセンブリーを畳むようにした傘骨アセンブリー及びこれを利用した折り畳み式傘を提供している。
【００１０】
前述した先出願は、手元で短い行程距離内で傘を容易に開いたり折り畳むことができるという使用上の便利性があるとともに、作動安全性を保障することができ、少ない力でも傘を容易に開いたり折り畳むことができるという利点がある。
【００１１】
ところが、前述した折り畳み式傘の場合、傘骨アセンブリーを折り畳んだ状態での長さを短くするのには限界があった。
【００１２】
一方、傘骨アセンブリーを多段に折り畳むことができるようにした折り畳み式傘も普及されてはいるが、これらの場合、傘布の大きさに限界があり、傘骨アセンブリーが複雑で、開いたり折り畳むことが難しく、また故障しやすくて、傘の機能性が低下する問題点があり、傘布を大きく広げることができるとともに、折り畳んだ状態での長さを短く構成することができる新しい構成の傘骨アセンブリー及び折り畳み式傘が要求されている実情である。
【先行技術文献】
【特許文献】
【００１３】
【特許文献１】韓国特許出願１０−２００９−００８４６４４
【発明の概要】
【発明が解決しようとする課題】
【００１４】
ここで、本発明者は前述した従来の傘骨アセンブリー及び折り畳み式傘が有する諸問題点を解消するために本発明を研究開発し、折り畳んだり開くのが簡単で、折り畳んだ状態での長さを最小化して、容易に保管するようにした折り畳み式傘骨アセンブリー及び傘を提供することを技術的課題として本発明を完成した。
【課題を解決するための手段】
【００１５】
課題解決手段として、本発明では、折り畳まれるように親骨、第１受骨及び第２受骨を組み合わせた折り畳み式構成の傘骨アセンブリーにおいて、親骨固定部材に円周上に回動可能に一端がピンで結合される内側部材と、内側部材の他端より上側に一端がピンで結合される中間部材と、中間部材の他端にピンで結合される外側部材を折り畳まれるように組み立てて構成した複数の親骨と、第１受骨固定部材に円周上に回動可能に一端がピンで結合される支持部材と、支持部材の他端に一端がピンで結合され、親骨の中間部材と平行するように内側部材の端部が支持部材と結合される方の端部外側に回動可能にピンで結合され、他端が中間部材と連結された外側部材の上端下側にそれぞれピンで回動可能に連結された連結部材を折り畳まれるように組み立てて構成した複数の第１受骨と、親骨固定部材と第１受骨固定部材との間に位置する第２受骨固定部材に円周上に回動可能に一端がピンで結合され、他端が内側部材と第１受骨の連結部材の結合部位に一緒に回動可能にピンで結合される第２受骨とを含み、親骨固定部材に親骨が回動可能に結合される結合部の直径Ｄ１は第２受骨固定部材に第２受骨が回動可能に結合される結合部の直径Ｄ２より大きい寸法に構成して、第２受骨固定部材１６０が固定された第１受骨固定部材１５０の方に下降すると傘骨アセンブリー１００が開かれ、固定された親骨固定部材１４０の方に上昇すると傘骨アセンブリー１００が畳まれるようにする。
【００１６】
また、本発明では前述した傘骨アセンブリーを利用する多様な構成の折り畳み式傘において、畳んだり開く動作を受動または自動に行われることができるように構成した。
【発明の効果】
【００１７】
本発明で提供する傘骨アセンブリー及び折り畳み式傘を用いる場合下記のような効果がある。
【００１８】
傘骨アセンブリーを折り畳んだ状態で長さが短くて携帯及び保管が容易である。
【００１９】
傘を開いたり折り畳むことが容易である。
【００２０】
既存の折り畳み式傘に比べて傘布の面積を広くすることができて、雨から体を安全に保護することができる。
【図面の簡単な説明】
【００２１】
【図１】本発明で提供する好ましい傘骨アセンブリー構成を示す断面図で、傘骨アセンブリーが広げられた状態図である。
【図２】本発明で提供する好ましい傘骨アセンブリー構成を示す断面図で、傘骨アセンブリーが折り畳まれた状態図である。
【図３】本発明の好ましい第１実施例で折り畳み式傘が折り畳まれた状態を示す断面図である。
【図４】本発明の好ましい第１実施例で折り畳み式傘の傘骨アセンブリーが折り畳まれた状態で中棒が引き出された状態図である。
【図５】本発明の好ましい第１実施例で折り畳み式傘が広げられた状態を示す断面図である。
【図６】本発明の好ましい第２実施例で折り畳み式傘が折り畳まれた状態を示す断面図である。
【図７】本発明の好ましい第２実施例で折り畳み式傘の傘骨アセンブリーが折り畳まれた状態で中棒が引き出された状態図である。
【図８】本発明の好ましい第２実施例で折り畳み式傘が広げられた状態を示す断面図である。
【図９】本発明の好ましい第３実施例で折り畳み式傘が折り畳まれた状態を示す断面図である。
【図１０】本発明の好ましい第３実施例で折り畳み式傘の傘骨アセンブリーが広げられた状態図である。
【図１１】本発明の好ましい第３実施例で折り畳み式傘が開かれた状態を示す断面図である。
【図１２】本発明の好ましい第４実施例で折り畳み式傘が折り畳まれた状態を示す断面図である。
【図１３】本発明の好ましい第４実施例で折り畳み式傘の傘骨アセンブリーが広げられた状態で中棒が引き出される前の状態図である。
【図１４】本発明の好ましい第４実施例で折り畳み式傘の傘骨アセンブリーが広げられた状態で中棒が引き出された状態図である。
【図１５】本発明の好ましい第４実施例で折り畳み式傘の傘骨アセンブリーのみ折り畳まれた状態を示す断面図である。
【図１６】本発明の第４実施例の回動部材及び板バネの組み立て状態を示すための重要部分切取斜視図である。
【図１７】本発明の第４実施例の係止具の組み立て状態を示すための手元の平断面図である。
【発明を実施するための形態】
【００２２】
以下、本発明で提供する傘骨アセンブリー及び折り畳み式傘の構成を添付図面を参照して説明する。
【００２３】
図１は本発明で提供する好ましい傘骨アセンブリー構成を示す断面図で、傘骨アセンブリーが広げられた状態図であり、図２は本発明で提供する好ましい傘骨アセンブリー構成を示す断面図で、傘骨アセンブリーが折り畳まれた状態図である。
【００２４】
本発明で提供する傘骨アセンブリー１００は、折り畳まれるように、内側部材１１１と中間部材１１２及び外側部材１１３を組み合わせた複数の親骨１１０と、親骨１１０の中間部材１１２と平行するように内側部材１１１と外側部材１１３にピンで連結される連結部材１２１と折り畳まれるように支持部材１２２を組み合わせた複数の第１受骨１２０と、内側部材１１１と第１受骨１２０の連結部材１２１の結合部位に一緒に結合される複数の第２受骨１３０とを含む。
【００２５】
即ち、親骨固定部材１４０に円周上に回動可能に一端がピンで結合される内側部材１１１と、内側部材１１１の他端より上側に一端がピンで結合される中間部材１１２と、中間部材１１２の他端にピンで結合される外側部材１１３とを折り畳まれるように組み立てて構成した複数の親骨１１０と、第１受骨固定部材１５０に円周上に回動可能に一端がピンで結合される支持部材１２２と、支持部材１２２の他端に一端がピンで結合され、親骨１１０の中間部材１１２と平行するように内側部材１１１の端部が支持部材１２２と結合される方の端部外側に回動可能にピンで結合され、他端が中間部材１１２と連結された外側部材１１３の上端下側にそれぞれピンで回動可能に連結された連結部材１２１を折り畳まれるように組み立てて構成した複数の第１受骨１２０と、親骨固定部材１４０と第１受骨固定部材１５０との間に位置する第２受骨固定部材１６０に円周上に回動可能に一端がピンで結合され、他端が内側部材１１１と第１受骨１２０の連結部材１２１の結合部位に一緒に回動可能にピンで結合される第２受骨１３０と、を含む構成からなる。
【００２６】
また、親骨固定部材１４０に親骨１１０の内側部材１１１が回動可能に結合される結合部の直径Ｄ１は第２受骨固定部材１６０に第２受骨１３０が回動可能に結合される結合部の直径Ｄ２より大きい寸法に構成される。
【００２７】
本発明のように、第２受骨１３０が結合される結合部の直径Ｄ２より親骨１１０の内側部材１１１が結合される結合部の直径Ｄ１が大きくなるほど傘骨アセンブリー１００を少ない力でより容易に開いたり折り畳むことができる。
【００２８】
前述した本発明の傘骨アセンブリー１００は、従来の一般的な傘骨アセンブリーで受骨固定部材を上に押して傘１を開き、下に引いて傘１を畳むものとは異なって、中棒に固定された親骨固定部材１４０と第１受骨固定部材１５０との間に位置する第２受骨固定部材１６０を下側に引いて傘骨アセンブリー１００を開き、上側に押し上げて傘骨アセンブリー１００を折り畳むことができ、また、親骨１１０の各部材の長さを長く構成して、広い面積の傘布の結合が可能である独特の構成である。
【００２９】
このような構成は短い行程距離を少ない力で傘骨アセンブリー１００を広げたり折り畳むことができるようにするための構成である。
【００３０】
また、本発明で提供する傘骨アセンブリー１００は、第１受骨１２０が支持部材１２２と連結部材１２１とで構成され、このような構成は、傘布が結合される親骨１１０の長さを従来の傘に比べて長くしながらも、第１受骨１２０が結合されている第１受骨固定部材１５０が中棒に固定された状態で、傘１を折り畳んだり開くことができるように構成することができて、折り畳んだ状態での傘１の長さを最小化することができる。
【００３１】
図３は本発明の好ましい第１実施例で折り畳み式傘が折り畳まれた状態を示す断面図であり、図４は本発明の好ましい第１実施例で折り畳み式傘の傘骨アセンブリーが折り畳まれた状態で中棒が引き出された状態図であり、図５は本発明の好ましい第１実施例で折り畳み式傘が広げられた状態を示す断面図である。
【００３２】
本発明の第１実施例で提供する折り畳み式傘１は、傘１を手動で開いたり折り畳むように構成したもので、図面によれば、下端部に縮小係止突起８が形成された作動管７の内部には手元２に下端部が結合固定され、上端部に拡大係止突起６が形成され、上端一側に傾斜面３ａが形成された下部管３をスライド可能に挿入して、下部管３の拡大係止突起６が作動管７の縮小係止突起８に係止されるようにし、外部には作動管７より長さの長い上部管４をスライド可能に組立てて中棒５を構成する。
【００３３】
下部管３の上端部の拡大係止突起６の上側内部には板バネ９によって支持される係止金具１０を内装設置する。この係止金具１０は傘１を折り畳んだ状態で作動管７の上端部に形成された係止孔７ａを通じて上部管４の上端部の固定孔４ａに挿入され、傘１を開いた状態では作動管７の下端部の縮小係止突起８の真上に形成された係止孔７ｂに挿入される。
【００３４】
係止金具１０は手元２に回動式に設置されるＬ字状のボタン１２によって作動するように設置される。この構成を詳しく説明すると、係止金具１０が板バネ９の方に移動されることができるように、係止金具１０に形成された孔１０ａに一端が差し込まれるＬ字状の回転部材１１を下部管３の上端部にピンで組立てて回動されるようにし、Ｌ字状の回転部材１１の他側端部はＬ字状のボタン１２とワイヤ１３で連結して、Ｌ字状のボタン１２を押す時、係止金具１０が連動されて板バネ９を加圧しながら下部管３の内部に挿入されるように構成する。
【００３５】
上部管４の下端には作動手元１４が固定され、作動手元１４には板バネ１５によって支持される固定金具１６が内装設置され、固定金具１６は中棒５を広げた状態で作動管７の下側に形成された固定孔７ｃに挿入されて、傘骨アセンブリー１００が広げられた状態を維持することができるように固定される。この時、作動管７に形成される固定孔７ｃは作動管７の下端部の縮小係止突起８の真上に形成された係止孔７ｂよりやや上側に形成して後述する第２受骨固定部材１６０の移動距離に符合するようにする。
【００３６】
そして、上記中棒５を構成する上部管４の上端部には本発明で提示する傘骨アセンブリー１００が設置される。この構成を詳しく説明すると、上部管４の上端には親骨１１０の内側部材１１１が回動可能に結合される親骨固定部材１４０が固定設置され、その下側の上部管４の外部には第１受骨１２０の支持部材１２２が回動可能に結合される第１受骨固定部材１５０を固定設置し、親骨固定部材１４０と第１受骨固定部材１５０との間に上部管４に沿ってスライド移動可能に第２受骨１３０が回動可能に結合される第２受骨固定部材１６０を設置して、第２受骨固定部材１６０が第１受骨固定部材１５０の方に下降すると傘骨アセンブリー１００が開かれ、親骨固定部材１４０の方に上昇すると傘骨アセンブリー１００が折り畳まれるようにする。
【００３７】
また、上部管４には第２受骨固定部材１６０の昇降幅だけ長くて且つ対向する作動長孔４ｂを形成し、第２受骨固定部材１６０を作動長孔４ｂを通じてピン１７で作動管７の上端に組立てて上部管４に沿ってスライド移動されることができるようにする。
【００３８】
以下、同様に構成される本発明の第１実施例で提供する折り畳み式傘１の作動例を説明する。
【００３９】
まず、傘１が折り畳まれた図３のような状態から傘１を開こうとする時には、手元２に設置されているＬ字状のボタン１２を加圧した状態で上部管４の下端に結合されている作動手元１４を手で把持して手元２を下に引けばよい。
【００４０】
即ち、上記のように、Ｌ字状のボタン１２を加圧するとＬ字状のボタン１２とワイヤ１３で連結されているＬ字状の回転部材１１が回動されながら係止金具１０が上部管４と作動管７の上端部に重なった状態の固定孔４ａと係止孔７ａから離脱されるので、この時、作動手元１４を把持した状態で手元２を引くと、下部管３の上端部に形成された拡大係止突起６が作動管７の下端部に形成された縮小係止突起８まで引き出される。この時まで傘骨アセンブリー１００が折り畳まれた状態を維持し、係止金具１０は作動管７下端部の縮小係止突起８の真上に係止孔７ｂを通じて上部管４の内部に接している図４のような状態になる。
【００４１】
このような状態で傘骨アセンブリー１００を広げるためにはＬ字状のボタン１２の加圧を解除して手元２をさらに引けば作動管７が下部管３と一緒に引き出される。この時、作動管７の上端に作動長孔４ｂを通じてピン１７で結合された第２受骨固定部材１６０が第１受骨固定部材１５０の方に下向き移動されながら傘骨アセンブリー１００が広がるようになり、作動管７の下端部の縮小係止突起８の真上に形成された係止孔７ｂを通じて上部管４の内部に接している係止金具１０は上部管４の下端を抜けながら作動管７の外部に突出されて下部管３と作動管７は固定結合され、また作動手元１４に設置されている固定金具１６が作動管７の下側に形成された固定孔７ｃに挿入されながら作動管７と上部管４が固定結合されて傘１を開いた状態で固定するようになる図５のような状態になる。
【００４２】
上記のように、傘１を開いて使ってから折り畳もうとする時には手元２に設けられたＬ字状のボタン１２を加圧したまま作動手元１４を手で握って手元２を作動手元１４の方に押せば良い。
【００４３】
上記で手元２に設けられたＬ字状のボタン１２を加圧すると、Ｌ字状のボタン１２とワイヤ１３で連結されているＬ字状の回転部材１１が回動しながら係止金具１０は作動管７の下端部の縮小係止突起８の真上に形成された係止孔７ｂで離脱されて下部管３と作動管７との結合が解除される。この時、手元２を作動手元１４の方に押すと下部管３が作動管７の内部に挿入されながら下部管３の上端一側に形成された傾斜面３ａが固定金具１６の下端を押して固定金具１６が作動管７の固定孔７ｃで離脱されて作動管７と上部管４との結合が解除され、下部管３が作動管７に続けて挿入されながら上昇して下部管３の上端が作動管７の上端部を押して作動管７の上端とピン１７で結合されている第２受骨固定部材１６０を親骨固定部材１４０の方に上昇させて傘骨アセンブリー１００を折り畳み、同時に中棒５も折り畳まれる。
【００４４】
上記のように、下部管３の上端と作動管７の上端部が接して親骨固定部材１４０の方に移動している途中作動管７の係止孔７ａを通じて上部管４の内部と接している係止金具１０が上部管４上端部に形成された固定孔４ａに至って、固定孔４ａから突出すると、下部管３と上部管４及び作動管７が同時に結合固定されて傘１が折り畳まれて固定された図３のような状態になる。
【００４５】
本発明で提供する傘骨アセンブリー１００の場合、上記で言及したように、親骨１１０が結合される結合部の直径Ｄ１は第２受骨１３０が結合される結合部の直径Ｄ２より大きい寸法に構成されているので、作動手元１４を手で握って手元２を少ない力で下に引いて傘骨アセンブリー１００を開き、中棒５も長くすることができる。
【００４６】
図６は本発明の好ましい第２実施例で折り畳み式傘が折り畳まれた状態を示す断面図であり、図７は本発明の好ましい第２実施例で折り畳み式傘の傘骨アセンブリーが折り畳まれた状態で中棒が引き出された状態図であり、図８は本発明の好ましい第２実施例で折り畳み式傘が開かれた状態を示す断面図である。
【００４７】
本発明の第２実施例で提供する折り畳み式傘１は、傘１を手動で開き、且つ自動に折り畳むように構成したもので、図面によれば、上側中間部と下端部にそれぞれ縮小係止突起１８、１９が形成された作動管７の内部には、手元２に下端部が結合固定され、上端部に拡大係止突起６が形成され、上端一側に傾斜面３ａが形成された下部管３をスライド可能に挿入して、下部管３の上端と拡大係止突起６がそれぞれ作動管７の縮小係止突起１８、１９に係止されるようにし、外部には作動管７より長さの短い上部管４をスライド可能に組立てて中棒５を構成する。
【００４８】
下部管３の上端部の拡大係止突起６の上側内部には板バネ９によって支持される係止金具１０を内装設置する。この係止金具１０は傘１を折り畳んだ状態で作動管７の上側縮小係止突起１８の真下に形成された係止孔７ｄを通じて上部管４の中間に形成された固定孔４ｃに挿入され、傘１を開いた状態では作動管７の下側縮小係止突起１９の真上に形成された係止孔７ｅに挿入される。
【００４９】
係止金具１０は手元２に回動式に設置され、スプリング２０の弾性力によって復元されるボタン２１によって回動するＬ字状のボタン１２によって作動されるように設置される。この構成を詳しく説明すると、係止金具１０が板バネ９の方に移動されることができるように、係止金具１０に形成された孔１０ａに一端が差し込まれるＬ字状の回転部材１１を下部管３の上端部にピンで組立てて回動されるようにし、Ｌ字状の回転部材１１の他側端部はＬ字状のボタン１２とワイヤ１３で連結して、ボタン２１を押す時、係止金具１０が連動されて板バネ９を加圧しながら下部管３の内部に挿入されるように構成する。
【００５０】
上部管４の下端には作動手元１４が固定され、作動手元１４には板バネ１５によって支持される固定金具１６が内装設置され、固定金具１６は中棒５を開いた状態で作動管７に形成された固定孔７ｆに挿入されて傘骨アセンブリー１００が広げられた状態を維持することができるように固定する。この時、作動管７に形成される固定孔７ｆは作動管７の上側縮小係止突起１８の下側に形成された係止孔７ｄと対向する位置に形成され、係止孔７ｄと一部が重なるように少し下方に形成され、また係止孔７ｄよりわずかに大きく形成される。
【００５１】
また、上部管４の上端部には本発明で提示する傘骨アセンブリー１００が設置される。この構成を詳しく説明すると、上部管４の上端には親骨１１０の内側部材１１１が回動可能に結合される親骨固定部材１４０が固定設置され、その下側の上部管４の外部には第１受骨１２０の支持部材１２２が回動可能に結合される第１受骨固定部材１５０を固定設置し、親骨固定部材１４０と第１受骨固定部材１５０との間に、上部管４に沿ってスライド移動可能に第２受骨１３０が回動可能に結合される第２受骨固定部材１６０を設置して、第２受骨固定部材１６０が第１受骨固定部材１５０の方に下降すると、傘骨アセンブリー１００が開かれ、親骨固定部材１４０の方に上昇すると傘骨アセンブリー１００が折り畳まれる。
【００５２】
また、上部管４には第２受骨固定部材１６０の昇降幅だけ長くて且つ対向する作動長孔４ｂを形成し、第２受骨固定部材１６０は作動長孔４ｂを通じてピン１７で作動管７の上端に形成されたスプリング固定具２２とともに組立てて上部管４に沿ってスライド移動されることができるようにする。
【００５３】
一方、本発明は傘１を自動に折り畳むことができるように構成されるもので、これを実現するための手段として、上部管４の内側には傘１を折り畳んだ状態である時、作動管７の上側縮小係止突起１８に隣接して位置するようにスプリング受け台２３を形成し、作動管７上端のスプリング固定具２２とスプリング受け台２３との間には圧縮スプリング２４を設置し、作動管７上端のスプリング固定具２２と下部管３上端には引張スプリング２５の両端を固定する。
【００５４】
圧縮スプリング２４と引張スプリング２５はそれぞれ傘１を開く過程で圧縮及び引張されて固定された状態を維持するようになり、これらエネルギーは傘１を折り畳む時用いられる。
【００５５】
以下、同様に構成される本発明の第２実施例で提供する折り畳み式傘１の作動例を説明する。
【００５６】
まず、傘１が畳まれた図６のような状態で、傘１を開こうとする時には、手元２に設置されているボタン２１を加圧した状態で上部管４の下端に結合されている作動手元１４を手で把持して、手元２を下に引けばよい。
【００５７】
上記のように、ボタン２１を加圧すると、Ｌ字状のボタン１２が回動され、これとワイヤ１３で連結されているＬ字状の回転部材１１が回動されながら係止金具１０が上部管３と作動管７との中間に重なった状態の固定孔４ｃと係止孔７ｄで離脱されるので、この時、作動手元１４を握った状態で手元２を引っ張ると、下部管３の上端部に形成された拡大係止突起６が作動管７の下端部に形成された下側縮小係止突起１９まで引き出される。この時まで傘骨アセンブリー１００は折り畳まれた図７のような状態を維持する。
【００５８】
上記の状態でボタン２１の加圧を解除すると、下部管３の上端に形成された係止金具１０が作動管７の下側縮小係止突起１９の真上に形成された係止孔７ｅに挿入されて下部管３と作動管７が結合固定され、同時に作動管７上端のスプリング固定具２２と下部管３の上端に両端が固定された引張スプリング２５が伸びて固定されて、後で中棒５を畳む時に使われる。上述の過程で引張スプリング２５の引張力によって作動管７がある程度下向き移動して、第２傘骨固定部材１６０が下向き移動し、従って傘骨アセンブリー１００もある程度広がる。
【００５９】
このような状態で傘骨アセンブリー１００を開くためには手元２をさらに引けば良い。
【００６０】
即ち、手元２をさらに引くと作動管７が下部管３と一緒に引き出される。この時、作動管７上端のスプリング固定具２２とピン１７で結合された第２受骨固定部材１６０が第１受骨固定部材１５０の方に下向き移動されながら、傘骨アセンブリー１００が開かれ、上部管４の下端にある作動手元１４に設置されている固定金具１６は作動管７の上側縮小係止突起１８の真下に形成された固定孔７ｆに挿入されて上部管４と作動管７が結合固定され、傘１が開かれた図８のような状態になる。この時、作動管７上端のスプリング固定具２２とスプリング受け台２３との間に介在された圧縮スプリング２４は圧縮固定されて、傘骨アセンブリー１００を折り畳む時に用いられる。上記で圧縮スプリング２４が圧縮される時引張スプリング２５の長さの変化はない。
【００６１】
上記のように傘１を開いて使ってから折り畳む時には、手元２に設置されているボタン２１を加圧すれば傘１を自動に折り畳むことができる。
【００６２】
本発明の第２実施例によれば、手元２に設置されているボタン２１を加圧すればＬ字状のボタン１２とワイヤ１３で連結されているＬ字状の回転部材１１が回動されながら係止金具１０を作動管７の下側縮小係止突起１９の真上に形成された係止孔７ｅで離脱させるようになる。
【００６３】
上記のように係止金具１０が係止孔７ｅで離脱されると、下部管３と作動管７との結合が解除されて作動管７の上端のスプリング固定具２２と下部管３の上端に両端が固定された引張スプリング２５の復元力によって下部管３が上部管４に固定された作動管７の内部に挿入しながら、下部管３の上端の一側に形成された傾斜面３ａが上部管４の下端に固定された作動手元１４の固定金具１６の下端を押して作動管７の上側縮小係止突起１８の真下に形成された固定孔７ｆで離脱させて、作動管７と上部管４との結合を解除して下部管３の上端と作動管７の上側縮小係止突起１８が接するようになり、同時に作動管７の上端のスプリング固定具２２とスプリング受け台２３との間に介在された圧縮スプリング２４が膨脹して、作動管７が上昇しながら作動管７のスプリング固定具２２と作動長孔４ｂを通じてピン１７で組立てられた第２受骨固定部材１６０を親骨固定部材１４０の方に上昇させて傘骨アセンブリー１００が折り畳まれ、中棒５も畳まれる。
【００６４】
上記で作動管７が上昇して傘１が完全に折り畳まれた状態では、下部管３上端部の係止金具１０が作動管７の上側縮小係止突起１８の下側に形成された係止孔７ｄを通じて上部管４の中間に形成された固定孔４ｃに挿入されて、下部管３と上部管４及び作動管７が同時に結合固定されて傘１が完全に折り畳まれた図６のような状態になる。
【００６５】
本発明で提供する傘骨アセンブリー１００の場合、上記で言及したように、親骨１１０が結合される結合部の直径Ｄ１は第２受骨１３０が結合される結合部の直径Ｄ２より大きい寸法に構成されているので、作動手元１４を手で握って手元２を少ない力で下に引いて傘骨アセンブリー１００を広げ、中棒５も伸ばすことができる。
【００６６】
図９は本発明の好ましい第３実施例で折り畳み式傘が折り畳まれた状態を示す断面図であり、図１０は本発明の好ましい第３実施例で折り畳み式傘の傘骨アセンブリーが広げられた断面図であり、図１１は本発明の好ましい第３実施例で折り畳み式傘が開かれた状態を示す断面図である。
【００６７】
本発明の第３実施例で提供する折り畳み式傘１は、傘１を自動に開き、手動で折り畳むように構成したもので、図面によれば、上側中間部と下端部にそれぞれ縮小係止突起１８、１９が形成された作動管７の内部には手元２に下端部が結合固定され、上端部に拡大係止突起６が形成された下部管３をスライド可能に挿入して、下部管３の上端と拡大係止突起６がそれぞれ作動管７の縮小係止突起１８、１９に係止されるようにし、外部には作動管７より長さの短い上部管４をスライド可能に組立てて中棒５を構成する。
【００６８】
下部管３の上端部の拡大係止突起６の上側内部には板バネ９によって支持される係止金具１０を内装設置する。この係止金具１０は傘１を折り畳んだ状態で作動管７の上側縮小係止突起１８の真下に形成された係止孔７ｄを通じて上部管４の中間に形成された固定孔４ｃに挿入され、傘１を開いた状態では作動管７の下側縮小係止突起１９の真上に形成された係止孔７ｅに挿入される。
【００６９】
係止金具１０は手元２に回動式に設置され、スプリング２０の弾性力によって復元されるボタン２１によって回動するＬ字状のボタン１２によって作動されるように設置される。この構成を詳しく説明すると、係止金具１０が板バネ９の方に移動されることができるように、係止金具１０に形成された孔１０ａに一端が差し込まれるＬ字状の回転部材１１を下部管３の上端部にピンで組立てて回動されるようにし、Ｌ字状の回転部材１１の他側端部はＬ字状のボタン１２とワイヤ１３で連結して、ボタン２１を押す時、係止金具１０が連動されて板バネ９を加圧しながら下部管３の内部に挿入されるように構成したもので上記第２実施例と同じである。
【００７０】
上部管４の下端には作動手元１４が固定され、この作動手元１４は傘１を折り畳む時用いる部材である。
【００７１】
また、上部管４の上端部には本発明で提示する傘骨アセンブリー１００が設置される。この構成を詳しく説明すると、上部管４の上端には親骨１１０の内側部材１１１が回動可能に結合される親骨固定部材１４０が固定設置され、その下側の上部管４の外部には第１受骨１２０の支持部材１２２が回動可能に結合される第１受骨固定部材１５０を固定設置し、親骨固定部材１４０と第１受骨固定部材１５０との間に上部管４に沿ってスライド移動可能に第２受骨１３０が回動可能に結合される第２受骨固定部材１６０を設置して、第２受骨固定部材１６０が第１受骨固定部材１５０の方に下降すると傘骨アセンブリー１００が開かれ、親骨固定部材１４０の方に上昇すると傘骨アセンブリー１００が折り畳まれる。
【００７２】
また、上部管４には第２受骨固定部材１６０の昇降幅だけ長くて且つ対向する作動長孔４ｂを形成し、第２受骨固定部材１６０は作動長孔４ｂを通じてピン１７で作動管７の上端に組立てて上部管４に沿ってスライド移動されることができるようにする。
【００７３】
一方、本発明は傘１を自動に開くことができるように構成されたもので、これを実現するための手段として、上部管４に固定されている第１受骨固定部材１５０の内側にはスプリング受け台２３を形成し、作動管７の上側縮小係止突起１８とスプリング受け台２３との間には圧縮スプリング２６を介在する。
【００７４】
圧縮スプリング２６は傘１を折り畳む時圧縮固定され、傘１を開く時用いられる。
【００７５】
以下、同様に構成される本発明の第３実施例で提供する折り畳み式傘１の作動例を説明する。
【００７６】
まず、傘１が折り畳まれた図９のような状態で傘１を開こうとする時には手元２に設置されているボタン２１を加圧する。
【００７７】
上記のようにボタン２１を加圧すると、Ｌ字状のボタン１２が回動され、これとワイヤ１３で連結されているＬ字状の回転部材１１が回動されながら、係止金具１０が上部管４と作動管７の中間に重なった状態の固定孔４ｃと係止孔７ｄで離脱される。この時、作動管７の上側縮小係止突起１８とスプリング受け台２３との間に介在されている圧縮スプリング２６が膨脹されながら作動管７が押されて下向き移動し、作動管７の上端と作動長孔４ｂを通じてピン１７で組み立てられた第２受骨固定部材１６０が第１受骨固定部材１５０方へ下向き移動して傘骨アセンブリー１００が広げられるようにする。
【００７８】
上記のように、圧縮スプリング２６の膨張力によって傘骨アセンブリー１００が広げられた状態で、中棒５の場合作動管７のみ下向き移動された状態であり、作動管７から下部管３が引き出されていない図１０のような状態である。作動管７から下部管３を引き出すためには手元２を握って下方へ引けばよい。
【００７９】
即ち、上記のように引くと、傘布に空気抵抗力が提供され、反対に人の力が作用する下部管３は下向きに引き出され、上記のように、作動管７から下部管３が下向きに引き出されて、下部管３の上端部に設置されている係止金具１０が作動管７の下側縮小係止突起１９の真上に形成された係止孔７ｅに挿入されると、下部管３と作動管７が固定結合されて中棒５が広げられた状態で固定させて傘１が完全に開かれた図１１のような状態になる。
【００８０】
図１０の状態で係止金具１０は作動管７の係止孔７ｄを通じて上部管４の内部に接している状態である。この状態で手元２を引く時、係止金具１０が係止孔７ｄに係止されないように係止金具１０の端部を丸く構成する。
【００８１】
上記のように傘１を開いて使ってから折り畳む時には、ボタン２１を加圧した後、上部管４の下端に具備された作動手元１４を手で握って手元２を作動手元１４の方に押せば良い。
【００８２】
上記のようにボタン２１を加圧すると、Ｌ字状のボタン１２が回動され、これとワイヤ１３で連結されているＬ字状の回転部材１１が回転されながら係止金具１０が作動管７の下側縮小係止突起１９の真上に形成された係止孔７ｅで離脱されて下部管３と作動管７との結合が解除される。この時、手元２を作動手元１４の方に押すと、下部管３が作動管７の内部に挿入されて下部管３の上端が作動管７の上側縮小係止突起１８を押し上げ、同時に作動管７の上端に作動長孔４ｂを通じてピン１７で組み立てられた第２受骨固定部材１６０が、親骨固定部材１４０の方に上昇して傘骨アセンブリー１００が折り畳まれる。
【００８３】
また、作動管７の上側縮小係止突起１８とスプリング受け台２３との間に介在された圧縮スプリング２６が圧縮され、係止金具１０が作動管７の上側縮小係止突起１８の下側に形成された係止孔７ｄを通じて上部管４の固定孔４ｃに挿入されると、下部管３と上部管４及び作動管７が同時に結合固定されて、傘１は図９のような折り畳まれた状態で固定される。
【００８４】
本発明で提供する傘骨アセンブリー１００の場合、上記で言及したように、親骨１１０が結合される結合部の直径Ｄ１は第２受骨１３０が結合される結合部の直径Ｄ２より大きい寸法に構成されているので、圧縮スプリング２６の強度を弱くしても傘骨アセンブリー１００を広げることができ、従って圧縮スプリング２６を圧縮しながら傘骨アセンブリー１００を折り畳むときかかる力が少なくてそれほど負担にならない。
【００８５】
図１２は本発明の好ましい第４実施例で折り畳み式傘が折り畳まれた状態を示す断面図であり、図１３は本発明の好ましい第４実施例で折り畳み式傘の傘骨アセンブリーが広げられた状態で、中棒が引き出される前の状態図であり、図１４は本発明の好ましい第４実施例で折り畳み式傘の傘骨アセンブリーが広げられた状態で中棒が引き出された状態図であり、図１５は本発明の好ましい第４実施例で折り畳み式傘の傘骨アセンブリーのみ折り畳まれた状態を示す断面図である。
【００８６】
また、図１６は本発明の第４実施例の回動部材及び板バネの組み立て状態を示すための重要部分切取斜視図で、図１７は本発明の第４実施例の係止具組み立て状態を示すための手元の平断面図である。
【００８７】
本発明の第４実施例で提供する折り畳み式傘１は、傘１を自動に開いたり折り畳むように構成した。
【００８８】
図面によれば、中間部に上下縮小係止突起１８、１８´と下端部に縮小係止突起１９が形成された作動管７の内部には、手元２に下端部が結合固定され、上端部に拡大係止突起６が形成された下部管３をスライド可能に挿入して、下部管３の拡大係止突起６が作動管７の下端部の縮小係止突起１９に係止されるようにし、外部には作動管７より長さが短くて下端部に縮小係止突起４５が形成された上部管４をスライド可能に組立てて作動管７の縮小係止突起１８´が上部管４の縮小係止突起４５に係止されるように構成する。
【００８９】
作動管７の中間部に上下に形成された縮小係止突起１８、１８´の間に中央に上下貫通する嵌合孔２８ａが形成され、一側に切開部２８ｂが形成されたガイド部材２８を内装設置し、このガイド部材２８の切開部２８ｂには作動管７に形成された回動孔２９及び上部管４の下方へ作動管７の昇降幅に符合するように上下に形成された２つの回動孔３０、３１を通じてスプリング３２ｂによって回動することができるように回動部材３２を挿入して、回動部材３２の上端をガイド部材２８にピン３３で結合し、回動部材３２には嵌合孔２８ａの方に位置されるように上下に対向して傾斜面が具備された係止突起３２ａを形成する。また、上端部に拡大係止突起２７ｃを形成し、中下端部に縮小係止突起２７ｄを形成し、拡大係止突起２７ｃの上側部分は上部管４の内部に接し、縮小係止突起２７ｄの上側部分は作動管７の内部に接してスライド移動する補助作動管２７を組立てて、補助作動管２７の縮小係止突起２７ｄの下側に結合棒２７ａを形成する。結合棒２７ａ下端部にはガイド部材２８の嵌合孔２８ａに差し込まれて、回動部材３２の上側係止突起３２ａに係止される係止溝２７ｂを形成して作動管７と補助作動管２７を連結される。
【００９０】
下部管３の上端部の拡大係止突起６の上側には回動部材３２の下側係止突起３２ａに係止されることができるように、一字状の回転部材３４をピン３５で結合し、この一字状の回転部材３４の下側には係止突部３７が一体に形成された板バネ３６を内装設置する。係止突部３７は、下部管３の拡大係止突起６の上側に形成された孔３ｂを通じて引き出され、傘１を開いた状態では、作動管７の下側縮小係止突起１９の真上に形成された係止孔７ｇに挿入されるように構成し、板バネ３６の上端には回動部材３２と干渉されないながら、一字状の回転部材３４の一側を支持する支持突部３６ａを折曲形成して、回動部材３２の下側係止突起３２ａと接する方の一字状の回転部材３４の下を支持するように構成し、一字状の回転部材３４が回動部材３２の下側係止突起３２ａに係止されて反時計周り方向に回転する時支持突部３６ａの側面に接して、９０゜だけ回転するように構成する。
【００９１】
また、板バネ３６の上端には回動レバー３８が配置され、その中心がピンで組み立てられ、回動レバー３８は係止突部３７側は低いときに、下部管３の内面と接するようにし、係止突部３７の反対側は高いときに、端部を手元２に回動方式で設置し、スプリング２０の弾性力によって復元されるボタン２１によって回動するＬ字状のボタン１２とワイヤ１３で連結して、板バネ３６に形成された係止突部３７を下部管３の内側に強制的に挿入させることができるようにする。
【００９２】
手元２の内部には、板バネ３９に弾性支持され、突起４１が形成された係止具４０が設置され、突起４１が上部管４の下端部に形成された係止突起４２に係止されて、傘１を畳んだ状態で固定されることができるようにし、ボタン２１を押して係止具４０の突起４１が係止突起４２で離脱する時、傘骨アセンブリー１００が広がるようにする。
【００９３】
また、上部管４の上端部には本発明で提示する傘骨アセンブリー１００が設置される。この構成を詳しく説明すると、上部管４の上端には親骨１１０の内側部材１１１が回動可能に結合される親骨固定部材１４０が固定設置され、その下側の上部管４の外部には第１受骨１２０の支持部材１２２が回動可能に結合される第１受骨固定部材１５０を固定設置し、親骨固定部材１４０と第１受骨固定部材１５０との間に上部管４に沿ってスライド移動可能に第２受骨１３０が回動可能に結合される第２受骨固定部材１６０を設置して、第２受骨固定部材１６０が第１受骨固定部材１５０の方に下降すると傘骨アセンブリー１００が開かれ、親骨固定部材１４０の方に上昇すると傘骨アセンブリー１００が折り畳まれる。
【００９４】
さらにまた、上部管４には第２受骨固定部材１６０の昇降幅だけ長くて且つ対向する作動長孔４ｂを形成し、第２受骨固定部材１６０は作動長孔４ｂを通じてピン１７で補助作動管２７の上端に組立てて上部管４に沿ってスライド移動されることができる。
【００９５】
一方、本発明は傘１を自動に開いたり折り畳むことができるように構成されるもので、これを実現するための手段として、上部管４に固定されている第１受骨固定部材１５０の内側にはスプリング受け台２３を形成し、作動管７の上側縮小係止突起１８とスプリング受け台２３との間には第１圧縮スプリング４３を設置して、ボタン２１を押して手元２に設置されている係止具４０から上部管４が自由になる時、第１圧縮スプリング４３が膨脹されながら傘骨アセンブリー１００が広がり、作動管７の内部に結合棒２７ａが差し込まれた状態で、ガイド部材２８と補助作動管２７の中下端部の縮小係止突起２７ｄとの間に第２圧縮スプリング４４を設置して、手元２のボタン２１を押して板バネ３６の係止突部３７が下部管３の内部に挿入されて作動管７との結合が解除される時、下部管３が作動管７の内部に挿入されながら板バネ３６の上端に形成された支持突部３６ａに支持されて水平状態の一字状の回転部材３４が回動部材３２の下側係止突起３２ａの傾斜面を押して回動部材３２を回動させて作動管７と補助作動管２７との結合が解除されて自由になる時、膨脹しながら傘骨アセンブリー１００を折り畳むことができるようにする。
【００９６】
以下、同様に構成される本発明の第４実施例で提供する折り畳み式傘１の作動例を説明する。
【００９７】
まず、傘１を開こうとする時には、図１２のような状態で手元２に設置されているボタン２１を押せば良い。上記のようにボタン２１を加圧すると、上部管４の下端部の係止突起４２に係止されている係止具４０が加圧されて係止突起４２から係止具４０に形成された突起４１が離脱されて手元２と上部管４が自由になる。
【００９８】
この時、上部管４の内部に形成されたスプリング受け台２３と作動管７の上側縮小係止突起１８との間に介在されている第１圧縮スプリング４３が膨脹しながら作動管７が下向きに移動すると、作動管７と結合されている補助作動管２７を下向きに移動させて、補助作動管２７の上端に上部管４の作動長孔４ｂを通じてピン１７で結合されている第２受骨固定部材１６０を第１受骨固定部材１５０の方に下向き移動させて傘骨アセンブリー１００を広げて図１３のような状態になる。
【００９９】
上記のように、第２受骨固定部材１６０が結合された補助作動管２７が作動管７に固定された状態で下向き移動されて、傘骨アセンブリー１００のみ広げられた図１３のような状態で、中棒５を引き出す時には手元２を握って下方へ引けば良い。
【０１００】
上記のように、手元２を下方に引く時、広げられた状態の傘布に空気抵抗力が提供され、反対に下部管３には手元２を引く人の力が提供されて、下部管３が作動管７から引き出され、この時、下部管３の上端部に形成された拡大係止突起６が作動管７の下側縮小係止突起１９と隣接されるように下降して、板バネ３６と一体に形成された係止突部３７が作動管７の下側縮小係止突起１９の真上に形成された係止孔７ｇに挿入されると、下部管３と作動管７が結合固定されて傘１が完全に開かれた図１４のような状態になる。
【０１０１】
上記において、傘骨アセンブリー１００のみ広げられた状態では、下部管３の上端部の拡大係止突起６に上側にピン３５で結合されている一字状の回転部材３４は、下側係止突起３２ａの上側に水平に位置しており、手元２を下に引くと、下側係止突起３２ａにかけられて反時計周り方向に回転して、板バネ３６の上側に形成された支持突部３６ａの側面に接して垂直になる。一字状の回転部材３４が垂直になった状態では、手元２を引く過程で引く力が弱くて板バネ３６の係止突部３７が作動管７の下側縮小係止突起１９の真上に形成された係止孔７ｇに係止されなくて、再び後退し、下部管３の上端が作動管７の上側縮小係止突起１８´と接触する時下側係止突起３２ａと接触しないので、回動部材３２が回転して、作動管７と補助作動管２７との結合が解除されて、傘骨アセンブリー１００が折り畳まれることが発生しない。また、板バネ３６の係止突部３７が作動管７の下側係止孔７ｇに挿入される時、板バネ３６の上端に形成された支持突部３６ａが支持突部３６ａの側面に接して垂直に立っている一字状の回転部材３４の下側を押して水平になるようにして、後の傘骨アセンブリー１００を折り畳む時用いられる。
【０１０２】
上記のように傘１を使ってから折り畳む時にも、上記のように、手元２に設置されているボタン２１を再び加圧すれば良い。
【０１０３】
上記のようにボタン２１を加圧する場合、ボタン２１によってＬ字状のボタン１２が回動され、Ｌ字状のボタン１２とワイヤ１３で連結された回動レバー３８が板バネ３６に形成され、作動管７の下側縮小係止突起１９の真上に形成された係止孔７ｇに係止されている係止突部３７を下部管３の拡大係止突起６の真上に形成された孔３ｂを通じて下部管３の内側に挿入させる。この時、下部管３が作動管７の内部に自重によって挿入される。自重によって挿入されない場合は手元２を押せば良い。
【０１０４】
上記のように下部管３が作動管７の内部に挿入される時、作動管７の上側縮小係止突起１８、１８´の間に内装設置されている回動部材３２の下側係止突起３２ａの下端傾斜面が支持突部３６ａに支持されて、水平状態の一字状の回転部材３４に押されて作動管７及び上部管４の下側に形成された回動孔２９、３１を通じて回動される。この時、補助作動管２７の結合棒２７ａの下端部に形成された係止溝２７ｂから回動部材３２の上側係止突起３２ａが分離されて、作動管７と補助作動管２７との結合が解除される。この時、ガイド部材２８と補助作動管２７の中下端部に形成された縮小係止突起２７ｄとの間に介在されている第２圧縮スプリング４４が膨脹されながら補助作動管２７を上側に押し上げて、補助作動管２７の上端と作動長孔４ｂを通じてピン１７で組み立てられている第２受骨固定部材１６０を親骨固定部材１４０の方に上昇させて傘骨アセンブリー１００を折り畳む。
【０１０５】
上記のように、傘骨アセンブリー１００を折り畳んだ状態で中棒５を畳むためには上部管４の先端、即ち親骨固定部材１４０のある方を壁や底に接地させるか、手で握った状態で手元２の方を加圧すれば良い。
【０１０６】
即ち、上記のように手元２を加圧すると、下部管３の上端がガイド部材２８の下端を押し上げるようになって、作動管７の上側縮小係止突起１８とスプリング受け台２３との間に介在される第１圧縮スプリング４３及び結合棒２７ａが差し込まれた状態で、ガイド部材２８と補助作動管２７の中下端部の縮小係止突起２７ｄとの間に介在されている第２圧縮スプリング４４が圧縮され、結合棒２７ａの下端部は回動部材３２が結合されているガイド部材２８の嵌合孔２８ａに挿入されながら回動部材３２は作動管７及び上部管４の上側に形成された回動孔２９、３０を通じて回動されてから、スプリング３２ｂによって挿入されながら、結合棒２７ａ下端部の係止溝２７ｂに回動部材３２の上側係止突起３２ａが挿入されて作動管７と補助作動管２７が結合された状態を維持し、同時に上部管４の下端部に形成された係止突起４２が手元２に設置されている係止具４０の突起４１に係止されて、第１圧縮スプリング４３及び第２圧縮スプリング４４が圧縮された状態で下部管３と上部管４が結合固定されて傘１が完全に折り畳まれた図１２のようになる。
【０１０７】
本発明で提供する傘骨アセンブリー１００の場合、上記で言及したように、親骨１１０が結合される結合部の直径Ｄ１が第２受骨１３０が結合される結合部の直径Ｄ２より大きい寸法に構成されているので、圧縮スプリング４３、４４の強度を弱くしても傘骨アセンブリー１００を広げたり折り畳むことができ、従って、圧縮スプリング４３、４４を同時に圧縮することがそれほど負担にならない。
【産業上の利用可能性】
【０１０８】
本発明で提供する傘骨アセンブリー及び折り畳み式傘を用いる場合、傘骨アセンブリーを折り畳んだ状態で長さが短くて携帯保管が容易で、傘の開き及び折り畳みが簡単で、且つ既存の折り畳み式傘に比べて傘布面積が広くなって雨から体を安全に保護することができるので産業上の利用可能性がある。
【符号の説明】
【０１０９】
１００：傘骨アセンブリー
１１０：親骨
１１１：内側部材
１１２：中間部材
１１３：外側部材
１２０：第１受骨
１２１：連結部材
１２２：支持部材
１３０：第２受骨
１４０：親骨固定部材
１５０：第１受骨固定部材
１６０：第２受骨固定部材
１：折り畳み式傘
２：手元
３：下部管
３ａ：傾斜面
３ｂ：孔
４：上部管
４ａ：固定孔
４ｂ：作動長孔
４ｃ：固定孔
５：中棒
６：拡大係止突起
７：作動管
７ａ、７ｂ、７ｄ、７ｅ、７ｇ：係止孔
７ｃ、７ｆ：固定孔
８：縮小係止突起
９：板バネ
１０：係止金具
１０ａ：孔
１１：Ｌ字状の回転部材
１２：Ｌ字状のボタン
１３：ワイヤ
１４：作動手元
１５：板バネ
１６：固定金具
１７：ピン
１８、１８´、１９：縮小係止突起
２０：スプリング
２１：ボタン
２２：スプリング固定具
２３：スプリング受け台
２４：圧縮スプリング
２５：引張スプリング
２６：圧縮スプリング
２７：補助作動管
２７ａ：結合棒
２７ｂ：係止溝
２７ｃ：拡大係止突起
２７ｄ：縮小係止突起
２８：ガイド部材
２８ａ：嵌合孔
２８ｂ：切開部
２９、３０、３１：回動孔
３２：回動部材
３２ａ：係止突起
３２ｂ：スプリング
３３：ピン
３４：一字状の回転部材
３５：ピン
３６：板バネ
３６ａ：支持突部
３７：係止突部
３８：回動レバー
３９：板バネ
４０：係止部材
４１：突起
４２：係止突起
４３：第１圧縮スプリング
４４：第２圧縮スプリング
４５：縮小係止突起
【図１】
2013514126.tif 000003
【図２】
2013514126.tif 000004
【図３】
2013514126.tif 000005
【図４】
2013514126.tif 000006
【図５】
2013514126.tif 000007
【図６】
2013514126.tif 000008
【図７】
2013514126.tif 000009
【図８】
2013514126.tif 000010
【図９】
2013514126.tif 000011
【図１０】
2013514126.tif 000012
【図１１】
2013514126.tif 000013
【図１２】
2013514126.tif 000014
【図１３】
2013514126.tif 000015
【図１４】
2013514126.tif 000016
【図１５】
2013514126.tif 000017
【図１６】
2013514126.tif 000018
【図１７】
2013514126.tif 000019
【国際調査報告】
2013514126.tif 000020
2013514126.tif 000021
2013514126.tif 000022
2013514126.tif 000023